(57)【要約】      （修正有）【課題】知的障害者（児）、痴呆性老人等が利用する施設では、利用者の中に押しボタン式火災報知機の機能を理解出来ない人がいるため、不必要に押しボタン式火災報知機の押しボタンを押し火災警報を発してしまい、誤った火災警報を再三繰り返すため、火災警報の信頼度が著しく低下しているため、迅速な避難行動が取れず危険が増大する。日常的に誤発報が発生する施設の誤発信を防止、減少させて火災警報の信頼度を向上させ施設の安全に寄与する。【解決手段】施設の職員が常時必ず携行している鍵等を使用して、簡易かつ迅速に発信出来るようにし、不必要に発信しようとした場合に備え、鍵挿入口に物品の挿入を検知するためのスイッチを設け、ブザー等を鳴らせて異常を知らることで、施設の職員が発信出来る状態になったことに気づき事前に対処することで、誤った火災警報が発せられることを未然に防止出来るようにした。【選択図】  図１
2006048617.tif 000002
【特許請求の範囲】
【請求項１】
押しボタン式火災報知機の発信用押しボタンの前面に、左右に開閉可能なシャッター板を設けロック爪で係止させ、押しボタン式火災報知機の押しボタンの前面を閉鎖し、押しボタンを誤って操作して誤発信することを防止し、非常時には鍵挿入口に手持ちの鍵又は鍵状金属片を、挿入することで簡単にシャッター板が解放出来、押しボタンスイッチを押し発信することが出来る、押しボタン式火災報知機の発信機。
【請求項２】
鍵押し当て部にベアリングを装着して、ピンや釘等を鍵挿入口に挿入して誤報防止用シャッターを開放することを困難にした、押しボタン式火災報知機の発信機。
【請求項３】
鍵挿入口部分を組み替え式にして、常時携行する健に挿入口を調整出来る機能を設けた、鍵挿入口付きの押しボタン式火災報知機の発信機。
【請求項４】
鍵挿入口に物体挿入を検知するためのスイッチを設け、物体の挿入を検知して物体が挿入されたことをブザー等で警報を発して知らせる、押しボタン式火災報知機の発信機。
【請求項５】
押しボタン前面に設けたシヤッターの、移動を検知するスイッチを設け、シヤッターが移動し発信が可能になったことを、ブザー等で警報を発して知らせる、押しボタン式火災報知機の発信機。
【請求項６】
請求項１〜５の機能を備えた、既設の押しボタン式火災報知器の発信機に取付けて使用する、押しボタン式火災報知機用誤発信防止装置。
【請求項７】
誤発信防止用シャッターを左右に開閉することで、上下の開口を大きく確保して、各種メーカーの押しボタン式火災報知機に取付て使用することが可能な、押しボタン式火災報知機用誤発信防止装置。
【発明の詳細な説明】
【発明の詳細な説明】
【技術分野】
【０００１】  本発明は押しボタン式火災報知機の、機能の理解が困難な利用者が利用する諸施設で、故意に依らない誤発信を防止し、火災等の発生時には職員が手持ちの鍵等を使用して、簡易に押しボタン式火災報知機の、押しボタンを押すことが可能な状態にして発信することは出来るが、利用者が類以した鍵等の物品を鍵挿入口に挿入した時は、鍵挿入口部に設けた検知スイッチが挿入されたことを検知しブザー等で警報を発し、また誤発信防止用シャツターが開き発信用押しボタンを押して発信することが可能になった時も、ブザー等で警報を発して知らせることで誤発信を未然に防止することを特徴とする、押しボタン式火災報知機の発信機であり、主として精神障害者（児）施設、知的障害者（児）施設、痴呆性老人施設等で、行動に障害のある人たちが利用する施設に設置するものである。
【背景技術】
【０００２】  精神障害者（児）施設、知的障害者（児）施設、痴呆性老人施設等で、行動に障害のある人たちが利用する施設の設備も、一般と同じような設備構造になっており、行動に障害のある人たちの障害の特殊性等を考慮して作られた、押しボタン式火災報知機は見あたらない。
【発明が解決しようとする課題】
【０００３】  利用者が無用に、押しボタン式火災報知機の押しボタンを押し、誤発信を繰り返すために、受信機側で回路を遮断して、非常警報装置が作動しないようにしなければならなくなる施設等があるため、誤発信を防止し、かつ、発信が必要な際は簡易に発信が出来るようにする。
常に誤発信を繰り返すと、警報設備への信頼度が低下し、実際の火災等が発生した場合に火災警報への信頼度が低下しているために、迅速な行動が取れず避難行動の遅れ等が発生するなど、防災上に支障をきたすため、誤発信を、無くして警報の信頼度を高め、より一層の安全を確保する。
行動に障害のある人たちが利用する施設では、施設利用者の中に、押しボタン式火災報知機の、機能の理解が困難な人もいるため、故意に依らず無用に押しボタン式火災報知機の押しボタンを押してしまい、誤発信が発生すると通報システムが、消防署等へ直接に接続されている施設もあり、誤発信を減少させることで火災通報の正確度、信頼度を向上させる。
また、誤発信が発生した施設では、施設内全域で実際に火災等が発生していないか、点検、確認しなければならないため、施設で誤発信が発生すると施設の経済的損失は、多大であるため誤発信を減少、防止する。
【課題を解決するための手段】
【０００４】  精神障害者（児）施設、知的障害者（児）施設、痴呆性老人施設等では、間仕切り扉の施解錠のため、職員の全員が勤務中は、鍵を必ず携行しなければ勤務出来ないので、鍵を常時必ず携行しているため、その手持ちの鍵を使用して簡易に、誤発信防止シヤッターを開放させ、発信押しボタンを押し発信することが、出来るようにした。
鍵を常時携行しない環境の施設では、特定の鍵を常時携行することで発信できるようにした。
鍵挿入口に挿入検知スイッチを取付け、無用に鍵の挿入部に何らかの物品を挿入された時は、挿入検知スイッチが挿入を検知しブザーで警報を発し、また、開放検知スイッチが誤発信防止用シヤッターの移動を検知すると、ブザーで警報を発して警告し無用の発信の可能性を事前に職員に知らせ、対処することで誤発信を未然に防止するようにした。
【発明の効果】
【０００５】  誤発信を無くすことにより、火災警報が発信された際の信頼度が高まり、迅速かつ正確な避難行動がとれるので、防災上の安全性が向上する。
誤発信による、消防署等関係機関の不要な作業が減少し、経済的効果がある。
施設等で誤発信が発生すると、実際に火災等が発生していないかの、点検、安全確認のための後処理作業が必要とされるため、誤発信が無くなれば、大きな経済的効果がある。
誤発信が常時多発するため、回線を遮断しなければならない施設等では、飛躍的に防災上の安全が向上し確保される。
【発明を実施するための最良の形態】
【０００６】  図１は本発明の正面図、図２は同、側面図、図３は同、調整式鍵挿入部の、組み合わせの説明図であり、
表ケース１に配置された左ガイド部吐出口１ｂ及び右ガイド部吐出口１ｃより吐出している、シヤッター左ガイド部１３、シヤッター右ガイド部１４を押し込みシヤッター板左係止部２ｂをロック爪左係止部５ｄに、シヤッター板右係止部２ｃをロック爪右係止部７ｄに係止させ、シヤッター板左２及びシャッター板右２ａで閉鎖して発信ボタンが押せない状態で使用する。【０００７】  発信する時は、表ケース１に設けた鍵挿入口１ａより鍵又は鍵状金属片２０を挿入すると、鍵又は鍵状金属片２０が挿入検知爪９を押し挿入検知爪９は挿入検知爪支点ボス９ａを中心に回転し、挿入検知スイッチ１０を押して警報ブザー１７を鳴らせて警報を発する。【０００８】  さらに鍵又は鍵状金属片２０を挿入し作動爪右６の鍵押し当て部６ｂに鍵又は鍵状金属片２０が当たり、鍵押し当て部６ｂを押し下げると、作動爪右６は作動爪右支点ボス６ａを中心に回転し作動爪右先端部６ｄがロック爪先端部７ｅを押し上げることで、ロック爪右係止部７ｄがシヤッター板右係止部２ｃを開放し、シャッター板右２ａは右引きバネ止めボス１６ａと右引きバネ止めボス１６ｂに架けられたシャッター右引きバネ１６に引かれ、シヤッターガイドローラー１２ｂ、シヤッターガイドローラー１２ｃに沿って移動を始め、シヤッター右突起部２ｅが表ケース１に設けたシャツター右開放検知スイッチ１８ａを押しシヤッターの解放を検知して警報を鳴らす。【０００９】  同時に作動爪右押し部６ｃが作動爪左押され部４ｂを押し下げ、作動爪左４は作動爪左支点ボス４ａを中心に回転し、作動爪左先端部４ｃがロック爪先端部５ｅを押し上げ、シャッター板左係止部２ｂがロック爪左係止部５ｄから開放され、左引きバネ止めボス１５ａと左引きバネ止めボス１５ｂに架けられたシヤッター左引きバネ１５に引かれ、シヤッター板左２もシャッターガイドローラー１２、シヤッターガイドローラー１２ａに沿って移動し、シヤッター左突起部２ｄが表ケース１に設けたシャツター左開放検知スイッチ１８を押しシヤッターの解放を検知して、警報を鳴らしながら発信押しボタン部を開放し、押しボタン式火災報知機の発信用押しボタンが押せる状態になる。【００１０】  無用な発信を防止するため、鍵挿入口１ａには鍵誘い側板８の位置を変更しさらに鍵誘い上板８ａで厚さの調節を行い、現在使用している鍵又は鍵状金属片２０に合わることでスムーズな挿入を可能にし、使用できる鍵類の制約をした。【００１１】  鍵挿入口１ａに物体が挿入されたことを早期に検知するために、鍵挿入口１ａに挿入検知スイッチ１０を取付け、無用に鍵挿入口１ａに何らかの物体が挿入された時は、挿入検知スイッチ１０が挿入されたことを検知して、警報ブザー１７を鳴らせて警報を発し、シャッター板右２ａ、シヤッター板左２が移動した場合も、シャッター右開放検知スイッチ１８ａ、シャッター左開放検知スイッチ１８が、シャッター板右２ａ、シヤッター板左２の移動を検知して、早期に警報ブザー１７を鳴らせて警報を発して知らせることで、誤発信を防止する。【００１２】  図３は、本発明の調整式の鍵挿入部の説明図であり
鍵誘い下板８ｂの上に長穴を穿けた調整可能な厚さの違う鍵誘い側板８使用して、鍵又は鍵状金属片２０の巾及び厚さに調整し、鍵誘い上板８ａを重ね固定する。
図４は、本発明の使用時の各部品の作動を示す説明図であり、
「ステップ１」
表ケース１側面の右ガイド部吐出口１ｃより吐出しているシヤッター右ガイド部１４、及び左ガイド部吐出口１ｂより吐出しているシヤッター左ガイド部１３を押し込む。
「ステップ２」
押し込むとシャッター板右２ａのシヤッター板右係止部２ｃが、ロック爪右７のロック爪右係止部７ｄに係止され、シヤッター板左係止部２ｂをロック爪左５のロック爪左係止部５ｄに係止させると、シヤッター板左２、シャッター板右２ａは閉鎖し、押しボタンは押せない状態になる。
「ステップ３」
火災の発生等で、押しボタン式火災報知機を使用するときは、表ケース１に設けられた鍵挿入口１ａに、鍵又は鍵状金属片２０を挿入すると、挿入検知スイッチ１０が挿入を検知して警報ブザー１７を鳴らせて、警報を発し挿入を知らせる、
「ステップ４」
さらに鍵又は鍵状金属片２０を挿入すると、作動爪右６の鍵押し当て部６ｂに達する。
「ステップ５」
鍵又は鍵状金属片２０で作動爪右６の鍵押し当て部６ｂを押し下げると、作動爪右６は作動爪右支点ボス６ａを中心に回転し、作動爪右６の作動爪右先端部６ｄがロック爪右７のロック爪先端部７ｅを押し上げ、ロック爪右係止部７ｄがシヤッター板右係止部２ｃを開放しシャッター板右２ａはシヤッター右突起部２ｅでシャツター右開放検知スイッチ１８ａ押しながら移動を始めると、同時に作動爪右６の作動爪右押し部６ｃが、作動爪左４の作動爪左押され部４ｂを押し下げ、作動爪左４は作動爪左支点ボス４ａを中心に回転し、作動爪左先端部４ｃがロック爪先端部５ｅを持ち上げ、ロック爪左係止部５ｄがシヤッター板左係止部２ｂを開放し、左右のシヤッターは、ほぼ同時に開放され発信ボタンを押して、発信できる状態になる。
「ステップ６」
発信通報後の復帰は、「ステップ１」の手順で復帰させる、正常な位置にシヤッター板左２及びシャッター板右２ａが復帰すると、シャツター左開放検知スイッチ１８、シャツター右開放検知スイッチ１８ａの回路が遮断され、警報ブザー１７の警報は鳴り止み、元の位置に復帰したことを、警報ブザー１７が鳴り止むことで知らせる。
【図面の簡単な説明】
【図１】  本発明装置の正面図
【図２】  同、側面図
【図３】  同  調整式の鍵挿入部の説明図
【図４】  同、使用時の各部品の、一連の作動を示す説明図
【符号の説明】
１  表ケース    １ａ  鍵挿入口    １ｂ  左ガイド部吐出口
１ｃ  右ガイド部吐出口    ２  シヤッター板左    ２ａ  シャッター板右
２ｂ  シヤッター板左係止部    ２ｃ  シヤッター板右係止部
２ｄ  シヤッター左突起部    ２ｅ  シヤッター右突起部    ３  下レール
４  作動爪左    ４ａ  作動爪左支点ボス    ４ｂ  作動爪左押され部
４ｃ  作動爪左先端部    ５  ロック爪左    ５ａ  ロック爪左支点ボス
５ｂ  ロック爪左スプリング    ５ｃ  ロック爪左スプリング支点ボス
５ｄ  ロック爪左係止部    ５ｅ  ロック爪先端部    ６  作動爪右
６ａ  作動爪右支点ボス    ６ｂ  鍵押し当て部    ６ｃ  作動爪右押し部
６ｄ  作動爪右先端部    ７  ロック爪右    ７ａ  ロック爪支点ボス
７ｂ  ロック爪スプリング    ７ｃ  ロック爪右スプリング支点ボス
７ｄ  ロック爪右係止部    ７ｅ  ロック爪先端部    ８  鍵誘い側板
８ａ  鍵誘い上板    ８ｂ  鍵誘い下板    ８ｃ  鍵誘い側板    ９  挿入検知爪
９ａ  挿入検知爪支点ボス    ９ｂ  挿入検知爪スプリング
９ｃ  挿入検知爪スプリング止めボス    １０  挿入検知スイッチ
１１  裏板    １２，１２ａ，１２ｂ，１２ｃ  シャッターガイドローラー
１３  シヤッター左ガイド部    １４  シヤッター右ガイド部
１５  シヤッター左引きバネ    １５ａ，１５ｂ  左引きバネ止めボス
１６  シャッター右引きバネ    １６ａ，１６ｂ  右引きバネ止めボス
１７  警報ブザー    １８  シャツター左開放検知スイッチ
１８ａ    シャツター右開放検知スイッチ    １９  乾電池    ２０  鍵又は鍵状金属片
２１    押しボタン式火災警報機
【図１】
2006048617.tif 000003
【図２】
2006048617.tif 000004
【図３】
2006048617.tif 000005
【図４】
2006048617.tif 000006